(57)【要約】    【課題】        ＨＳ−ＰＤＳＣＨにおけるパケットの受信性能を劣化させることなく、かつ、消費電力の少ないパケット通信装置及びその方法、並びにパケット通信システムを提供すること。    【解決手段】    判定部２０１は、ＨＳ−ＳＣＣＨ復調・復号部１０４から入力されてくるデータ量情報を監視し、そのデータ量が「０」でないときに、今後所定期間内にパケットが自局に送信されてくると判定即ち予測して、タイミング指示部２０２に動作を開始するように指示する。タイミング指示部２０２は、判定部２０１から動作を開始するように指示されたときに限り、適応受信部２１０、ＨＳ−ＰＤＳＣＨ逆拡散部２０３及び復号部２０４に対して、動作を開始するように指示する。  【選択図】        図２
2005354203.tif 000002
【特許請求の範囲】
【請求項１】
受信パケットに対する受信処理を間欠的に行う受信処理手段と、
今後所定期間内にパケットが自局に送信されてくるか予測する予測手段と、
前記予測手段が、パケットが自局に送信されてくると予測したときには、前記パケットの受信前から前記受信処理手段に受信処理を行わせる指示手段と、
を具備することを特徴とするパケット通信装置。
【請求項２】
前記予測手段は、送信側のパケット通信装置に保持されている自局宛のデータ量に基づいて、今後所定期間内にパケットが自局に送信されてくるか予測する、
ことを特徴とする請求項１記載のパケット通信装置。
【請求項３】
前記予測手段は、送信側のパケット通信装置に対して要求したデータ量と既に受信したデータ量との差分に基づいて、今後所定期間内にパケットが自局に送信されてくるか予測する、
ことを特徴とする請求項１記載のパケット通信装置。
【請求項４】
前記予測手段は、受信パケットの復号結果に基づいて、今後所定期間内にパケットが自局に送信されてくるか予測する、
ことを特徴とする請求項１記載のパケット通信装置。
【請求項５】
前記予測手段は、送信側のパケット通信装置から要求される伝搬路品質の報告頻度に基づいて、今後所定期間内にパケットが自局に送信されてくるか予測する、
ことを特徴とする請求項１記載のパケット通信装置。
【請求項６】
請求項１〜５のいずれか１項に記載のパケット通信装置を具備するパケット通信システム。
【請求項７】
受信パケットに対する受信処理を間欠的に行う受信処理ステップと、
今後所定期間内にパケットが送信されてくるか予測する予測ステップと、
前記予測ステップにおいてパケットが送信されてくると予測されたときには、前記パケットの受信前から前記受信処理ステップでの受信処理を行わせる指示ステップと、
を具備することを特徴とするパケット通信方法。
【発明の詳細な説明】
【技術分野】
【０００１】
本発明は、Ｗ−ＣＤＭＡ（Wideband-Code Division Multiple Access）方式におけるＨＳＤＰＡ（High Speed Downlink Packet Access）等による高速パケット通信を行うパケット通信システム、並びにそのシステムにおけるパケット通信装置及びパケット通信方法に関する。
【背景技術】
【０００２】
現在、３ＧＰＰ（3rd Generation Partnership Project）では、高速パケット通信のためにＨＳＤＰＡ等の策定が行われている。図９は、ＨＳＤＰＡに対応した従来のＣＤＭＡ移動局装置９００の構成を示すブロック図である。
【０００３】
ＣＤＭＡ移動局装置９００は、アンテナ９０１、無線受信部９０２、ＤＰＣＨ（Dedicated Physical CHannel (Downlink)）復調・復号部９０３、ＨＳ−ＳＣＣＨ（Shared Control CHannel for High Speed Downlink Shared Channel）復調・復号部９０４及びＨＳ−ＰＤＳＣＨ（High Speed Physical Downlink Shared CHannel）復調・復号部９１０を具備する。
【０００４】
無線受信部９０２は、アンテナ９０１によって受信されたＣＤＭＡ信号に周波数変換やＡ／Ｄ変換等の公知の無線受信処理を施し、処理後の受信信号をＤＰＣＨ復調・復号部９０３、ＨＳ−ＳＣＣＨ復調・復号部９０４及びＨＳ−ＰＤＳＣＨ復調・復号部９１０にそれぞれ入力する。
【０００５】
ＤＰＣＨ復調・復号部９０３は、無線受信部９０２から入力されてくる受信信号にＤＰＣＨ用の拡散コードを乗算して逆拡散し、逆拡散後の受信信号に適応受信処理例えば等化器や干渉キャンセラ等を用いた信号処理等を施した後に、その処理後の受信信号を所定の方式で復号して受信データ（主に音声データ）を生成する。そして、ＤＰＣＨ復調・復号部９０３は、生成した音声データ等を図示しないベースバンド等に入力する。
【０００６】
ＨＳ−ＳＣＣＨ復調・復号部９０４は、無線受信部９０２から入力されてくる受信信号にＨＳ−ＳＣＣＨ用の拡散コードを乗算して逆拡散し、逆拡散後の受信信号に適応受信処理等を施した後に、その処理後の受信信号を所定の方式で復号して受信データ（ＨＳ−ＰＤＳＣＨ用の制御データ）を生成する。そして、ＨＳ−ＳＣＣＨ復調・復号部９０４は、生成した制御データをＨＳ−ＰＤＳＣＨ復調・復号部９１０に入力する。なお、ＨＳ−ＳＣＣＨ復調・復号部９０４は、復号によって制御データを生成できたときに限り、ＨＳ−ＰＤＳＣＨ復調・復号部９１０に制御データを入力する。そのため、このＨＳ−ＳＣＣＨ復調・復号部９０４からの制御データの入力は、ＨＳ−ＰＤＳＣＨ復調・復号部９１０が動作を開始する合図となる。
【０００７】
ＨＳ−ＰＤＳＣＨ復調・復号部９１０は、ＨＳ−ＳＣＣＨ復調・復号部９０４から制御データを入力されたときに動作を開始し、無線受信部９０２から入力されてくる受信信号にＨＳ−ＰＤＳＣＨ用の拡散コードを乗算して逆拡散し、逆拡散後の受信信号に適応受信処理等を施した後に、その処理後の受信信号を所定の方式で復号してパケットデータを生成する。そして、ＨＳ−ＰＤＳＣＨ復調・復号部９１０は、生成したパケットデータを図示しないベースバンド等に入力する。
【０００８】
図１０は、ＣＤＭＡ移動局装置９００におけるＨＳ−ＰＤＳＣＨ復調・復号部９１０の具体的な構成を示すブロック図である。ＨＳ−ＰＤＳＣＨ復調・復号部９１０は、適応等化器を用いて適応受信を行うものであり、タイミング指示部１００２、ＨＳ−ＰＤＳＣＨ逆拡散部１００３、復号部１００４及び適応受信部１０１０を具備する。また、適応受信部１０１０は、複数のＣＰＩＣＨ（Common PIlot CHannel：共通パイロットチャネル）逆拡散部１０１１、複数の遅延器１０１２、タップ係数算出部１０１３及びトランスバーサルフィルタ１０１４を具備する。
【０００９】
ＣＰＩＣＨ逆拡散部１０１１は、無線受信部９０２から入力されてくる受信信号にＣＰＩＣＨ用の拡散コードを乗算して逆拡散処理を行い、逆拡散後の受信信号をタップ係数算出部１０１３に入力する。
【００１０】
遅延器１０１２は、無線受信部９０２から入力されてくる受信信号を、ＣＰＩＣＨ用の拡散コードのチップ周期の整数分の１の時間例えば１／２チップ周期遅延させる。従って、複数のＣＰＩＣＨ逆拡散部１０１１それぞれからタップ係数算出部１０１３に、逆拡散後の受信信号が並列に前記チップ周期の整数分の１の周期で順次入力されることになる。
【００１１】
タップ係数算出部１０１３は、複数のＣＰＩＣＨ逆拡散部１０１１から並列に順次入力されてくる逆拡散後の受信信号と既知情報（基準信号）とを比較して、受信信号に生じている振幅及び位相の誤差を求め、この誤差が小さくなるようにタップ係数を算出する。即ち、タップ係数算出部１０１３は、伝搬路の特性を推定し、その逆特性を算出して、算出した逆特性を受信信号に乗算する。換言すれば、タップ係数算出部１０１３は、伝搬路に適応する。そして、タップ係数算出部１０１３は、算出したタップ係数をトランスバーサルフィルタ１０１４に通知する。なお、タップ係数算出部１０１３は、公知のアルゴリズムを用いて伝搬路に適応するが、公知のアルゴリズムの中には、伝搬路の逆特性の算出に時間を要するものもある。
【００１２】
トランスバーサルフィルタ１０１４は、タップ係数算出部１０１３から通知されたタップ係数を無線受信部９０２から入力されてくる受信信号に乗算することにより、この受信信号を等化する。そして、トランスバーサルフィルタ１０１４は、等化した受信信号をＨＳ−ＰＤＳＣＨ逆拡散部１００３に入力する。
【００１３】
ＨＳ−ＰＤＳＣＨ逆拡散部１００３は、トランスバーサルフィルタ１０１４から入力されてくる等化された受信信号を、ＨＳ−ＳＣＣＨ復調・復号部９０４から入力されてくる制御データ即ちチャネライゼーションコード番号やコード数等を用いて逆拡散する。そして、ＨＳ−ＰＤＳＣＨ逆拡散部１００３は、逆拡散後の受信信号を復号部１００４に入力する。
【００１４】
復号部１００４は、ＨＳ−ＰＤＳＣＨ逆拡散部１００３から入力されてくる逆拡散後の受信信号を、ＨＳ−ＳＣＣＨ復調・復号部９０４から入力されてくる制御データ即ちＴＢ（Transport Block）サイズ、ＨＡＲＱ（Hybrid-Automatic Repeat reQuest）のプロセス番号及びNew Data Indicator等を用いて復号して、パケットデータを生成する。そして、復号部１００４は、生成したパケットデータを図示しないベースバンド等に入力する。
【００１５】
タイミング指示部１００２は、ＨＳ−ＳＣＣＨ復調・復号部９０４から制御データが入力されてきたときに限り、適応受信部１０１０、ＨＳ−ＰＤＳＣＨ逆拡散部１００３及び復号部１００４に対して、後述するＨＳ−ＳＣＣＨにおける2nd Partの後半スロットが始まるタイミング即ちＨＳ−ＰＤＳＣＨにおいてパケットの受信が始まるタイミングで動作を開始するように指示する。
【００１６】
図１１に、受信信号におけるＣＰＩＣＨ、ＨＳ−ＳＣＣＨ及びＨＳ−ＰＤＳＣＨそれぞれのタイミングの相関を示す。なお、これらのチャネル間における受信タイミングの相関は、３ＧＰＰによって規定されている（非特許文献１）。
【００１７】
図１１に示すように、ＨＳ−ＳＣＣＨにおける１パケットは、１スロットの1st Partと２スロットの2nd Partとの計３スロットで構成されている。この1st Partには、ＨＳ−ＰＤＳＣＨのチャネライゼーションコード番号、コード数、変調方式及びＣＤＭＡ移動局装置９００等の端末毎のＩＤ（スクランブルに使用される）情報が含まれており、また2nd Partには、ＴＢサイズ、ＨＡＲＱのプロセス番号、New Data Indicator及び巡回冗長符号（ＣＲＣ：Cyclic Redundancy Checking  1st PartにおけるＩＤを利用したもの）情報等が含まれている（非特許文献２）。
【００１８】
従って、ＣＤＭＡ移動局装置９００は、ＨＳ−ＳＣＣＨにおける1st Partを受信することにより、２スロット経過後にＨＳ−ＰＤＳＣＨで自局宛のパケットが送信されてくることを知得し、ＨＳ−ＰＤＳＣＨにおけるパケットを復調するために必要なパラメータを取得する。また、ＣＤＭＡ移動局装置９００は、ＨＳ−ＳＣＣＨにおける2nd Partを受信することにより、ＨＳ−ＰＤＳＣＨにおけるパケットを復号するために必要なパラメータを取得する。
【００１９】
また、３ＧＰＰにより、ＨＳ−ＰＤＳＣＨにおけるパケットを受信した後に、その復号結果の成否を報告する信号（ＡＣＫ／ＮＡＣＫ）を送信するタイミングが規定されている。そこで、タイミング指示部１００２は、３ＧＰＰによって規定された送信タイミングまでに復号結果報告信号を生成するために、ＨＳ−ＳＣＣＨにおける2nd Partの後半スロットが始まるタイミングにおいて、適応受信部１０１０に対して無線受信部９０２から入力されてくるパケットを適応受信するように、またＨＳ−ＰＤＳＣＨ逆拡散部１００３及び復号部１００４に対して適応受信後のパケットの復調及び復号を開始するように指示する。
【００２０】
ここで、図１１の最下段に示す「受信処理」において、「1st Part受信」とは、図１０におけるＨＳ−ＳＣＣＨ復調・復号部９０４がＨＳ−ＳＣＣＨにおける1st Partを受信して制御データを生成する信号処理を、また「ＨＳ−ＰＤＳＣＨ受信処理」とは、ＨＳ−ＰＤＳＣＨ逆拡散部１００３における逆拡散処理及び復号部１００４における復号処理を、また「適応処理」とは、適応受信部１０１０における適応受信処理を、それぞれ示す。
【００２１】
なお、適応受信部１０１０、ＨＳ−ＰＤＳＣＨ逆拡散部１００３及び復号部１００４はそれぞれ、所定の信号処理を完了した時からタイミング指示部１００２より次の指示が入力されてくるまで、それらの動作を自動的に休止する。これらの構成部の自動休止により、ＣＤＭＡ移動局装置９００の消費電力が抑制される。
【非特許文献１】「３ＧＰＰ  ＴＳ２５．２１１」，3GPP Organizational Partners，２００２年
【非特許文献２】「３ＧＰＰ  ＴＳ２５．２１４」，3GPP Organizational Partners，２００２年
【発明の開示】
【発明が解決しようとする課題】
【００２２】
しかしながら、従来のＣＤＭＡ移動局装置９００では、タイミング指示部１００２が適応受信部１０１０、ＨＳ−ＰＤＳＣＨ逆拡散部１００３及び復号部１００４に対して、ＨＳ−ＳＣＣＨにおける2nd Partの始まるタイミング即ちＨＳ−ＰＤＳＣＨにおけるパケットの始まるタイミングで動作を開始するように指示する。つまり、従来のＣＤＭＡ移動局装置９００では、適応受信部１０１０がＨＳ−ＰＤＳＣＨにおけるパケットを実際に受信し始めてから伝搬路への適応を開始するため、例えばＬＭＳアルゴリズムのように適応に時間を要するアルゴリズムを使用する場合には、ＨＳ−ＰＤＳＣＨにおけるパケットの先頭部分の受信性能が劣化してしまう問題がある。
【００２３】
この問題の第１の解決方法として、適応受信部１０１０における伝搬路への適応受信の準備が整うまでＨＳ−ＰＤＳＣＨにおけるパケットを一時滞留させる方法が考えられる。しかし、ＨＳＤＰＡのように受信パケットの復号結果報告信号を短時間で送信しなければならない場合には、この第１の解決方法を使用することはできない。
【００２４】
また、この問題の第２の解決方法として、伝搬路の逆特性を逆行列演算によって短時間に算出するアルゴリズムを用いる方法が考えられる。しかし、この第２の解決方法では、受信信号における希望信号、干渉信号及びノイズそれぞれの電力レベルという限られた情報に基づいて適応受信が行われるため、受信信号において、ノイズの影響が平均化されず、干渉信号やノイズの影響が強調されてしまう問題がある。
【００２５】
また、この問題の第３の解決方法として、適応受信部１０１０がＨＳ−ＳＣＣＨやＨＳ−ＰＤＳＣＨにおけるパケットの有無に関わらず適応受信を間断なく行う方法が考えられる。しかし、この第３の解決方法では、ＣＤＭＡ移動局装置９００の消費電力が増加するという問題がある。
【００２６】
本発明はかかる点に鑑みてなされたものであり、ＨＳ−ＰＤＳＣＨにおけるパケットの受信性能を劣化させることなく、かつ、消費電力の少ないパケット通信装置及びその方法、並びにパケット通信システムを提供することを目的とする。
【課題を解決するための手段】
【００２７】
本発明に係るパケット通信装置は、受信パケットに対する受信処理を間欠的に行う受信処理手段と、今後所定期間内にパケットが自局に送信されてくるか予測する予測手段と、前記予測手段が、パケットが自局に送信されてくると予測したときには、前記パケットの受信前から前記受信処理手段に受信処理を行わせる指示手段と、を具備する構成を採る。
【００２８】
この構成によれば、予測手段によってパケットが自局に送信されてくると予測されたときには、指示手段が受信処理手段に対して、パケットの受信前ではその受信処理の準備を指示し、パケットの受信中では次のパケットの受信処理を引き続き行わせるため、受信処理の準備に要する電力を抑制しつつ、パケットの受信性能を改善することができる。
【００２９】
本発明に係るパケット通信装置は、前記発明において、前記予測手段は、送信側のパケット通信装置に保持されている自局宛のデータ量に基づいて、今後所定期間内にパケットが自局に送信されてくるか予測する、構成を採る。
【００３０】
本発明に係るパケット通信装置は、前記発明において、前記予測手段は、送信側のパケット通信装置に対して要求したデータ量と既に受信したデータ量との差分に基づいて、今後所定期間内にパケットが自局に送信されてくるか予測する、構成を採る。
【００３１】
本発明に係るパケット通信装置は、前記発明において、前記予測手段は、受信パケットの復号結果に基づいて、今後所定期間内にパケットが自局に送信されてくるか予測する、構成を採る。
【００３２】
本発明に係るパケット通信装置は、前記発明において、前記予測手段は、送信側のパケット通信装置から要求される伝搬路品質の報告頻度に基づいて、今後所定期間内にパケットが自局に送信されてくるか予測する、構成を採る。
【００３３】
これらの構成によれば、前記発明による効果に加えて、予測手段が容易に取得できるリアルタイム情報に基づいて所定期間内にパケットが自局に送信されてくるか予測するため、その予測に要する時間を短縮することができる。
【００３４】
本発明に係るパケット通信システムは、前記発明に係るパケット通信装置を具備する構成を採る。
【００３５】
この構成によれば、前記パケット通信装置によってパケット通信が行われるため、パケットの受信性能が改善されてパケットの再送回数が削減されることから、パケット通信システムにおけるスループットを改善することができる。
【００３６】
本発明に係るパケット通信方法は、受信パケットに対する受信処理を間欠的に行う受信処理ステップと、今後所定期間内にパケットが送信されてくるか予測する予測ステップと、前記予測ステップにおいてパケットが送信されてくると予測されたときには、前記パケットの受信前から前記受信処理ステップでの受信処理を行わせる指示ステップと、を具備するようにした。
【００３７】
この方法によれば、予測ステップにおいて所定期間内にパケットが送信されてくると予測されたときには、指示ステップにおいて、パケットの受信前ではその受信処理の準備を行うように指示され、またパケットの受信中では次のパケットの受信処理を引き続き行うように指示されるため、受信処理の準備に要する電力を抑制しつつ、パケットの受信性能を改善することができる。
【発明の効果】
【００３８】
この発明によれば、今後所定期間内にパケットが送信されてくると予測されるときには、現在パケットの受信処理が行われていなければ、その受信処理の準備が開始され、一方で現在パケットの受信処理が行われていれば、次のパケットための受信処理が引き続き行なわれることから、受信処理の準備に要する電力を抑制しつつ、パケットの受信性能を改善することができる。
【発明を実施するための最良の形態】
【００３９】
本発明の骨子は、今後所定期間内にパケットが送信されてくると予測されるときには、現在パケットの受信処理が行われていなければ、その受信処理の準備を開始し、一方で現在パケットの受信処理が行われていれば、次のパケットために受信処理を引き続き行なうことである。
【００４０】
以下、本発明に係る実施の形態について、図面を参照しつつ詳細に説明する。
【００４１】
（実施の形態１）
図１は、本発明の実施の形態１に係るパケット通信装置１００の構成を示すブロック図である。パケット通信装置１００は、アンテナ１０１、無線受信部１０２、ＤＰＣＨ復調・復号部１０３、ＨＳ−ＳＣＣＨ復調・復号部１０４及びＨＳ−ＰＤＳＣＨ復調・復号部１１０を具備する。
【００４２】
無線受信部１０２は、アンテナ１０１によって受信されたＣＤＭＡ信号に周波数変換やＡ／Ｄ変換等の公知の無線受信処理を施し、処理後の受信信号をＤＰＣＨ復調・復号部１０３、ＨＳ−ＳＣＣＨ復調・復号部１０４及びＨＳ−ＰＤＳＣＨ復調・復号部１１０にそれぞれ入力する。
【００４３】
ＤＰＣＨ復調・復号部１０３は、無線受信部１０２から入力されてくる受信信号にＤＰＣＨ用の拡散コードを乗算して逆拡散し、逆拡散後の受信信号に適応受信処理例えば等化器や干渉キャンセラ等を用いた信号処理等を施した後に、その適応受信処理後の受信信号を所定の方式で復号して受信データ（主に音声データ）を生成する。そして、ＤＰＣＨ復調・復号部１０３は、生成した音声データ等を図示しないベースバンド等に入力する。
【００４４】
ＨＳ−ＳＣＣＨ復調・復号部１０４は、無線受信部１０２から入力されてくる受信信号にＨＳ−ＳＣＣＨ用の拡散コードを乗算して逆拡散し、逆拡散後の受信信号に適応受信処理等を施した後に、その適応受信処理後の受信信号を所定の方式で復号してＨＳ−ＰＤＳＣＨ用の制御データを生成する。また、ＨＳ−ＳＣＣＨ復調・復号部１０４は、生成した制御データから送信側のパケット通信装置に保持されている自局宛のデータ量についての情報を抽出する。そして、ＨＳ−ＳＣＣＨ復調・復号部１０４は、生成した制御データ及び抽出したデータ量情報をＨＳ−ＰＤＳＣＨ復調・復号部１１０に入力する。
【００４５】
ＨＳ−ＰＤＳＣＨ復調・復号部１１０は、ＨＳ−ＳＣＣＨ復調・復号部１０４から入力されてくるデータ量情報を監視し、そのデータ量が「０」でないときに、無線受信部１０２から入力されてくる受信信号にＨＳ−ＰＤＳＣＨ用の拡散コードを乗算して逆拡散し、逆拡散後の受信信号に適応受信処理等を施した後に、その適応受信処理後の受信信号を所定の方式で復号してパケットデータを生成する。そして、ＨＳ−ＰＤＳＣＨ復調・復号部１１０は、生成したパケットデータを図示しないベースバンド等に入力する。
【００４６】
図２は、パケット通信装置１００におけるＨＳ−ＰＤＳＣＨ復調・復号部１１０の具体的な構成を示すブロック図である。ＨＳ−ＰＤＳＣＨ復調・復号部１１０は、適応等化器による適応受信を行うものであり、判定部２０１、タイミング指示部２０２、ＨＳ−ＰＤＳＣＨ逆拡散部２０３、復号部２０４及び適応受信部２１０を具備する。また、適応受信部２１０は、複数のＣＰＩＣＨ逆拡散部２１１、複数の遅延器２１２、タップ係数算出部２１３及びトランスバーサルフィルタ２１４を具備する。
【００４７】
ＣＰＩＣＨ逆拡散部２１１は、無線受信部１０２から入力されてくる受信信号にＣＰＩＣＨ用の拡散コードを乗算して逆拡散処理を行い、逆拡散後の受信信号をタップ係数算出部２１３に入力する。
【００４８】
遅延器２１２は、無線受信部１０２から入力されてくる受信信号を、ＣＰＩＣＨ用の拡散コードのチップ周期の整数分の１の時間例えば１／２チップ周期遅延させる。従って、複数のＣＰＩＣＨ逆拡散部２１１それぞれからタップ係数算出部２１３に、逆拡散後の受信信号が並列に前記チップ周期の整数分の１の周期で順次入力されることになる。
【００４９】
タップ係数算出部２１３は、複数のＣＰＩＣＨ逆拡散部２１１から並列に順次入力されてくる逆拡散後の受信信号と既知情報（基準信号）とを比較して、受信信号に生じている振幅及び位相の誤差を求め、この誤差が小さくなるようにタップ係数を算出する。即ち、タップ係数算出部２１３は、伝搬路の特性を推定し、その逆特性を算出して、算出した逆特性を受信信号に乗算する。換言すれば、タップ係数算出部２１３は、伝搬路に適応する。そして、タップ係数算出部２１３は、算出したタップ係数をトランスバーサルフィルタ２１４に通知する。なお、タップ係数算出部２１３は、ＬＭＳアルゴリズム等の公知のアルゴリズムを用いて伝搬路に適応する。
【００５０】
トランスバーサルフィルタ２１４は、タップ係数算出部２１３から通知されたタップ係数を無線受信部１０２から入力されてくる受信信号に乗算することにより、この受信信号を等化する。そして、トランスバーサルフィルタ２１４は、等化した受信信号をＨＳ−ＰＤＳＣＨ逆拡散部２０３に入力する。
【００５１】
ＨＳ−ＰＤＳＣＨ逆拡散部２０３は、トランスバーサルフィルタ２１４から入力されてくる等化された受信信号を、ＨＳ−ＳＣＣＨ復調・復号部１０４から入力されてくる制御データ即ちチャネライゼーションコード番号やコード数等を用いて逆拡散する。そして、ＨＳ−ＰＤＳＣＨ逆拡散部２０３は、逆拡散後の受信信号を復号部２０４に入力する。
【００５２】
復号部２０４は、ＨＳ−ＰＤＳＣＨ逆拡散部２０３から入力されてくる逆拡散後の受信信号を、ＨＳ−ＳＣＣＨ復調・復号部１０４から入力されてくる制御データ即ちＴＢサイズ、ＨＡＲＱのプロセス番号及びNew Data Indicator等を用いて復号して、パケットデータを生成する。そして、復号部２０４は、生成したパケットデータを図示しないベースバンド等に入力する。
【００５３】
判定部２０１は、ＨＳ−ＳＣＣＨ復調・復号部１０４から入力されてくるデータ量情報を監視し、そのデータ量が「０」でないときに、今後所定期間内にパケットがパケット通信装置１００に送信されてくると判定即ち予測して、タイミング指示部２０２に動作を開始するように指示する。従って、判定部２０１は、本発明に係る予測手段として機能する。
【００５４】
タイミング指示部２０２は、判定部２０１から動作を開始するように指示されたときに限り、適応受信部２１０、ＨＳ−ＰＤＳＣＨ逆拡散部２０３及び復号部２０４に対して、動作を開始するように指示する。
【００５５】
次いで、パケット通信装置１００の動作について、図３及び図４を用いて説明する。図３に、受信信号におけるＣＰＩＣＨ、ＨＳ−ＳＣＣＨ及びＨＳ−ＰＤＳＣＨそれぞれのタイミングの相関と、適応受信部２１０、ＨＳ−ＰＤＳＣＨ逆拡散部２０３及び復号部２０４の動作タイミングと、の一例を示す。なお、図３に示す例では、ＨＳ−ＳＣＣＨにおける1st Partの始まるタイミングにおいて、適応受信部２１０、ＨＳ−ＰＤＳＣＨ逆拡散部２０３、復号部２０４及びタイミング指示部２０２が休止しているものとする。また、図３の最下段に示す「受信処理」において、「1st Part受信＆判定」とは、図２におけるＨＳ−ＳＣＣＨ復調・復号部１０４がＨＳ−ＳＣＣＨにおける1st Partを受信して制御データを生成し、この制御データからデータ量情報を抽出した後に、判定部２０１がそのデータ量を判定するまでの一連の信号処理を示す。同様に、図３の最下段に示す「受信処理」において、「ＨＳ−ＰＤＳＣＨ受信処理」とは、ＨＳ−ＰＤＳＣＨ逆拡散部２０３における逆拡散処理及び復号部２０４における復号処理を、また「適応処理」とは、適応受信部２１０における適応受信処理を、それぞれ示す。
【００５６】
図３では、ＨＳ−ＳＣＣＨにおける2nd Partの前半スロットの半分のタイミングにおいて、判定部２０１が、送信側のパケット通信装置に保持されているデータ量が「０」でないと判定し、タイミング指示部２０２に対して動作を開始するように指示する。
【００５７】
タイミング指示部２０２は、判定部２０１からこの指示を受けると直ちに、適応受信部２１０に対して適応受信の準備を始めるように指示する。また、タイミング指示部２０２は、ＨＳ−ＳＣＣＨにおける2nd Partの始まるタイミング即ちＨＳ−ＰＤＳＣＨにおけるパケットの終わるタイミングにおいて、ＨＳ−ＰＤＳＣＨ逆拡散部２０３及び復号部２０４に動作を開始するようにそれぞれ指示する。なお、ＨＳ−ＰＤＳＣＨにおけるパケットの有無に関わらず、ＣＰＩＣＨにおけるパイロットは常時受信されている。そのため、適応受信部２１０は、伝搬路への適応受信の準備をいつでも開始することができる。また、適応受信部２１０、ＨＳ−ＰＤＳＣＨ逆拡散部２０３及び復号部２０４はそれぞれ、受信信号に対する所定の信号処理を完了した後に、自動的に休止するように設計されている。
【００５８】
また、図４に、ＨＳ−ＰＤＳＣＨにおけるパケットが２つ連続する場合における受信信号の各チャネルのタイミングの相関と、適応受信部２１０、ＨＳ−ＰＤＳＣＨ逆拡散部２０３及び復号部２０４の動作タイミングと、の一例を示す。図４に示す例では、ＨＳ−ＰＤＳＣＨにおける１つ目のパケットの受信途中において、ＨＳ−ＳＣＣＨにおける２つ目のパケットに係る1st Part受信＆判定が完了している。そのため、判定部２０１は、ＨＳ−ＰＤＳＣＨにおける１つ目のパケットが終わるタイミングにおいて、今後所定期間内にパケットがパケット通信装置１００に送信されてくると判定即ち予測して、タイミング指示部２０２に動作を開始するように指示する。この指示を受けたタイミング指示部２０２は直ちに、適応受信部２１０に対して間断なく適応受信を行うように、またＨＳ−ＰＤＳＣＨ逆拡散部２０３及び復号部２０４に対して所定の信号処理を引き続き行うように指示する。
【００５９】
このように、本実施の形態に係るパケット通信装置１００によれば、判定部２０１によって今後所定期間内にパケットがパケット通信装置１００に送信されてくることが予測されたときには、タイミング指示部２０２が適応受信部２１０に対して、現在適応受信が行われていなければその準備を開始するように、また現在適応受信が行われていれば次のパケットのために適応受信を引き続き行うように指示するため、適応受信の準備に要する電力を抑制しつつ、パケットの受信性能を改善することができる。
【００６０】
また、本実施の形態に係るパケット通信システムよれば、パケット通信装置１００によってパケット通信が行われるため、そのスループットを効果的に高めることができる。
【００６１】
なお、本実施の形態では、判定部２０１がＨＳ−ＳＣＣＨ復調・復号部１０４から入力されてくるデータ量情報を監視し、そのデータ量が「０」でないときに、今後所定期間内にパケットがパケット通信装置１００に送信されてくると判定する場合について説明したが、本発明はこの場合に限定されるものではなく、例えば判定部２０１がそのデータ量と予め設定された「０」でない閾値とを比較して、そのデータ量が「０」でない閾値以上となったときに、今後所定期間内にパケットが送信されてくると判定するようにしてもよい。
【００６２】
（実施の形態２）
図５は、本発明の実施の形態２に係るパケット通信装置におけるＨＳ−ＰＤＳＣＨ復調・復号部５１０の構成を示すブロック図である。ＨＳ−ＰＤＳＣＨ復調・復号部５１０は、ＨＳ−ＰＤＳＣＨ復調・復号部１１０において、判定部２０１の代わりに判定部５０１及び要求・受信データ量演算部５０２を具備する。従って、ＨＳ−ＰＤＳＣＨ復調・復号部５１０は、ＨＳ−ＰＤＳＣＨ復調・復号部１１０における構成部と同様の機能を発揮する構成部を多く具備するため、このような同様の機能を発揮する構成部については、ＨＳ−ＰＤＳＣＨ復調・復号部１１０における構成部の参照符号と同一の参照符号を付して、その説明を省略する。
【００６３】
要求・受信データ量演算部５０２は、送信側のパケット通信装置に対して要求したデータ量を予め把握しており、この要求したデータ量と復号部２０４から入力されてきたパケットデータのデータ量とを比較してその差分を算出し、算出された差分を判定部５０１に通知する。
【００６４】
判定部５０１は、要求・受信データ量演算部５０２から通知される差分が「０」でなければ、今後所定期間内にパケットが送信されてくると判定即ち予測して、タイミング指示部２０２に動作を開始するように指示する。
【００６５】
図６に、受信信号におけるＣＰＩＣＨ、ＨＳ−ＳＣＣＨ及びＨＳ−ＰＤＳＣＨそれぞれのタイミングの相関と、適応受信部２１０、ＨＳ−ＰＤＳＣＨ逆拡散部２０３及び復号部２０４の動作タイミングと、の一例を示す。なお、図６では、ＨＳ−ＳＣＣＨにおける１つ目のパケットの1st Partが始まるタイミングにおいて、適応受信部２１０、ＨＳ−ＰＤＳＣＨ逆拡散部２０３、復号部２０４及びタイミング指示部２０２が休止しているものとする。
【００６６】
図６に示す例では、ＨＳ−ＰＤＳＣＨにおける１つ目のパケットが終わるタイミングにおいて、復号部２０４から要求・受信データ量演算部５０２にパケットデータが入力される。そして、このパケットデータを入力された要求・受信データ量演算部５０２は、このパケットデータのデータ量と送信側のパケット通信装置に要求したデータ量との差分を算出し、算出した差分を判定部５０１に通知する。そして、判定部５０１は、この通知された差分が「０」であるか判定し、その判定結果をタイミング指示部２０２に通知する。なお、本実施の形態では、この差分は「０」ではないものとする。
【００６７】
判定部５０１からこの差分が「０」ではないと通知されたタイミング指示部２０２は、適応受信部２１０に対して、ＨＳ−ＰＤＳＣＨにおける１つ目のパケットの終わりのタイミングにおいて、その動作を休止することなく引き続き適応受信を行うように指示する。従って、本実施の形態では、図３における最下段の「受信処理」に示すように、ＨＳ−ＰＤＳＣＨにおける１つ目のパケットが終わるタイミングから２つ目のパケットが始まるタイミングまでの空白区間においても、適応受信部２１０が間断なく適応受信を行うことになる。
【００６８】
このように、本実施の形態によれば、送信側のパケット通信装置に要求したデータ量と既に受信したパケットのデータ量との差分が「０」でなければ、タイミング指示部２０２が適応受信部２１０に対して、パケットの適応受信を行っていなければその適応受信の準備を始めるように指示し、一方でパケットの適応受信を行っていれば次のパケットのために適応受信を引き続き行うように指示するため、適応受信の準備に要する電力を抑制しつつ、パケットの受信性能を確実に改善することができる。
【００６９】
（実施の形態３）
図７は、本発明の実施の形態３に係るパケット通信装置におけるＨＳ−ＰＤＳＣＨ復調・復号部７１０の構成を示すブロック図である。ＨＳ−ＰＤＳＣＨ復調・復号部７１０は、ＨＳ−ＰＤＳＣＨ復調・復号部１１０において、判定部２０１の代わりに判定部７０１を、また復号部２０４の代わりに復号部７０４を具備する。従って、ＨＳ−ＰＤＳＣＨ復調・復号部７１０は、ＨＳ−ＰＤＳＣＨ復調・復号部１１０における構成部と同様の機能を発揮する構成部を多く具備するため、このような同様の機能を発揮する構成部については、ＨＳ−ＰＤＳＣＨ復調・復号部１１０における構成部の参照符号と同一の参照符号を付して、その説明を省略する。
【００７０】
復号部７０４は、ＨＳ−ＰＤＳＣＨ逆拡散部２０３から入力されてくる逆拡散後の受信信号を、ＨＳ−ＳＣＣＨ復調・復号部１０４から入力されてくる制御データ即ちＴＢサイズ、ＨＡＲＱのプロセス番号及びNew Data Indicator等を用いて復号する。また、復号部７０４は、復号によってパケットデータを生成できた場合には、生成したパケットデータを図示しないベースバンド等に入力し、一方で復号によってパケットデータを生成できなかった場合には、その復号結果を示すＮＡＣＫ信号を判定部７０１に入力する。なお、このＮＡＣＫ信号は、送信側のパケット通信装置に送信されて、復号によってパケットデータを生成できなかったパケットの再送要求信として機能する。
【００７１】
判定部７０１は、復号部７０４からＮＡＣＫ信号が入力されてきたときに、今後所定期間内に送信側のパケット通信装置からパケットが再送されると判定即ち予測して、タイミング指示部２０２に動作を開始するように指示する。
【００７２】
従って、本実施の形態によれば、ＨＳ−ＰＤＳＣＨにおけるパケットの復号によってパケットデータを生成できなかった場合即ちその復号結果がＮＡＣＫ信号である場合に限り、タイミング指示部２０２が適応受信部２１０に対して、ＨＳ−ＰＤＳＣＨにおける次のパケットのために適応受信を引き続き行うように指示するため、適応受信の準備に要する電力を抑制しつつ、パケットの受信性能を確実に改善することができる。
【００７３】
（実施の形態４）
図８は、本発明の実施の形態４に係るパケット通信装置におけるＨＳ−ＰＤＳＣＨ復調・復号部８１０の構成を示すブロック図である。ＨＳ−ＰＤＳＣＨ復調・復号部８１０は、ＨＳ−ＰＤＳＣＨ復調・復号部１１０において、判定部２０１の代わりに判定部８０１及びＣＱＩ報告要求管理部８０２を具備する。従って、ＨＳ−ＰＤＳＣＨ復調・復号部８１０は、ＨＳ−ＰＤＳＣＨ復調・復号部１１０における構成部と同様の機能を発揮する構成部を多く具備するため、このような同様の機能を発揮する構成部については、ＨＳ−ＰＤＳＣＨ復調・復号部１１０における構成部の参照符号と同一の参照符号を付して、その説明を省略する。
【００７４】
ＣＱＩ報告要求管理部８０２は、送信側のパケット通信装置から要求された伝搬路品質情報（ＣＱＩ）についての情報、例えばＣＱＩの報告頻度情報を管理する。ＣＱＩ報告要求管理部８０２は、ＨＳ−ＰＤＳＣＨにおけるパケットからＣＱＩ報告要求情報を抽出し、抽出されたＣＱＩ報告要求情報が変更されたときに、例えばＣＱＩ報告要求周期が１５スロットに１回から５スロットに１回に変更されたときや直近のタイミングでＣＱＩを報告するように通知されたときに、判定部８０１にＣＱＩ報告要求情報が変更されたことを通知する。
【００７５】
判定部８０１は、ＣＱＩ報告要求管理部８０２からＣＱＩ報告要求情報が変更されたことを通知されたときには、今後所定期間内にパケットが送信されてくると判定即ち予測して、タイミング指示部２０２に動作を開始するように指示する。
【００７６】
従って、本実施の形態によれば、ＣＱＩ報告要求情報が変更されたときに、タイミング指示部２０２が適応受信部２１０に対して、パケットの適応受信を行っていなければ適応受信の準備を開始するように指示し、一方でパケットの適応受信を行っていれば次のパケットのために適応受信を引き続き行うように指示するため、適応受信の準備に要する電力を抑制しつつ、パケットの受信性能を確実に改善することができる。
【００７７】
なお、本発明に係る実施の形態１〜４では、適応受信部２１０が適応等化器を具備する場合について説明したが、本発明はこの場合に限定されるものではない。例えば、本発明では、ＨＳ−ＰＤＳＣＨにおけるパケットの存在と無関係に常時送信されているＣＰＩＣＨのパイロットに基づいて、伝搬路の推定を行う公知の方法を使用することができる。
【００７８】
また、本発明に係る実施の形態１〜４では、Ｗ−ＣＤＭＡ方式におけるＨＳＤＰＡを例に説明したが、本発明はこの例に限定されるものではない。本発明は、パケットの受信を予測可能な全ての方式に適用することができる。
【産業上の利用可能性】
【００７９】
本発明に係るパケット通信装置、パケット通信システム及びパケット通信方法は、受信処理の準備に要する電力を抑制しつつ、パケットの受信性能を改善できるという効果を有し、Ｗ−ＣＤＭＡ方式によるパケット通信を行う基地局装置や移動局装置等に有用である。
【図面の簡単な説明】
【００８０】
【図１】本発明の実施の形態１に係るパケット通信装置の構成を示すブロック図
【図２】本発明の実施の形態１に係るパケット通信装置の構成を示すブロック図
【図３】本発明の実施の形態１における受信信号の各チャネル及び信号処理のタイミングの相関の一例を示す図
【図４】本発明の実施の形態１における受信信号の各チャネル及び信号処理のタイミングの相関の一例を示す図
【図５】本発明の実施の形態２に係るパケット通信装置の構成を示すブロック図
【図６】本発明の実施の形態２における受信信号の各チャネル及び信号処理のタイミングの相関の一例を示す図
【図７】本発明の実施の形態３に係るパケット通信装置の構成を示すブロック図
【図８】本発明の実施の形態４に係るパケット通信装置の構成を示すブロック図
【図９】従来のＣＤＭＡ移動局装置の構成を示すブロック図
【図１０】従来のＣＤＭＡ移動局装置の構成を示すブロック図
【図１１】従来の受信信号の各チャネル及び信号処理のタイミングの相関の一例を示す図
【符号の説明】
【００８１】
１００  パケット通信装置
１０１、９０１  アンテナ
１０２、９０２  無線受信部
１０３、９０３  ＤＰＣＨ復調・復号部
１０４、９０４  ＨＳ−ＳＣＣＨ復調・復号部
１１０、５１０、７１０、８１０、９１０  ＨＳ−ＰＤＳＣＨ復調・復号部
２０１、５０１、７０１、８０１  判定部
２０２、１００２  タイミング指示部
２０３、１００３  ＨＳ−ＰＤＳＣＨ逆拡散部
２０４、７０４、１００４  復号部
２１０、１０１０  適応受信部
２１１、１０１１  ＣＰＩＣＨ逆拡散部
２１２、１０１２  遅延器
２１３、１０１３  タップ係数算出部
２１４、１０１４  トランスバーサルフィルタ
５０２  要求・受信データ量演算部
８０２  ＣＱＩ報告要求管理部
９００  ＣＤＭＡ移動局装置
【図１】
2005354203.tif 000003
【図２】
2005354203.tif 000004
【図３】
2005354203.tif 000005
【図４】
2005354203.tif 000006
【図５】
2005354203.tif 000007
【図６】
2005354203.tif 000008
【図７】
2005354203.tif 000009
【図８】
2005354203.tif 000010
【図９】
2005354203.tif 000011
【図１０】
2005354203.tif 000012
【図１１】
2005354203.tif 000013